(57)【要約】【課題】  利便性及び機密性を高めたディスプレイシステムを提供する。【解決手段】  ネットワークに接続された画面データを受信することが可能なディスプレイと、ディスプレイに表示するための画面データを生成することが可能な画面データ送信媒体から成るディスプレイシステムにおいて、ディスプレイにおいてはディスプレイに表示するための表示データを蓄積するためのＶＲＡＭを有し、画面データ送信媒体においてはディスプレイに表示するための画面データを生成し、前記画面データからディスプレイのＶＲＡＭに書き込むデータを画面データ送信媒体において生成し、ディスプレイのＶＲＡＭに書き込むデータをディスプレイにネットワークを通じて転送する手段を有することを特徴とするディスプレイシステム等、を提供する。【選択図】  図１
2007047599.tif 000002
【特許請求の範囲】
【請求項１】
ネットワークに接続された画面データを受信することが可能なディスプレイと、
ディスプレイに表示するための画面データを生成することが可能な画面データ送信媒体から成るディスプレイシステムにおいて、
ディスプレイにおいてはディスプレイに表示するための表示データを蓄積するための記憶手段を有し、
画面データ送信媒体においてはディスプレイに表示するための画面データを生成し、
前記画面データからディスプレイの記憶手段に書き込むデータを画面データ送信媒体において生成し、
ディスプレイの記憶手段に書き込むデータをディスプレイにネットワークを通じて転送する手段を有することを特徴とするディスプレイシステム。
【請求項２】
請求項１に記載のディスプレイシステムにおいて、画面データは圧縮データまたはラスタデータであることを特徴とするディスプレイシステム。
【請求項３】
請求項１に記載のディスプレイシステムにおいて、
ディスプレイの記憶手段に書き込むデータを生成する前に、ディスプレイの記憶手段とディスプレイの属性、表示画像の拡大縮小率、原点からの相対位置を前記画面データ送信媒体に転送し、
前記ディスプレイの記憶手段の属性とディスプレイの属性、表示画像の拡大縮小率、原点からの相対位置を用いてディスプレイのＶＲＡＭに書き込むデータを生成することを特徴とするディスプレイシステム。
【請求項４】
請求項１に記載のディスプレイシステムにおいて、記憶手段の属性は１画素を構成する色のビット数と順番であることを特徴とするディスプレイシステム。
【請求項５】
請求項１に記載のディスプレイシステムにおいて、ディスプレイの属性はコンテンツを表示する画面サイズであることを特徴とするディスプレイシステム。
【請求項６】
請求項１に記載のディスプレイシステムにおいて、
画面データ送信媒体はディスプレイから転送された記憶手段とディスプレイの属性、表示画像の拡大縮小率、原点からの相対位置により、ディスプレイの記憶手段に転送されるべきデータを生成して画像データとしてディスプレイに転送し、ディスプレイでは受信した画像データを記憶手段に書き、ディスプレイに表示するタイミングで、記憶手段に書かれた内容をディスプレイに表示することを特徴とするディスプレイシステム。
【請求項７】
請求項６に記載のディスプレイシステムにおいて、
画面データ送信媒体はディスプレイから転送された記憶手段の属性のみが与えられ、
ディスプレイの属性、表示画像の拡大縮小率、原点からの相対位置が与えられなかった場合、画面データの送信媒体に都合の良い大きさで画面を記憶手段の属性に合うように画面データを生成してディスプレイに送信し、
ディスプレイには記憶手段とは別の第二のメモリを有し、
画面データを第二のメモリに格納し、
第二のメモリに格納された画面データを必要な大きさに拡大縮小または切り出しを行って記憶手段に書き出し、記憶手段に書かれた内容を表示することを特徴とするディスプレイシステム。
【請求項８】
請求項１に記載のディスプレイシステムにおいて、
画面データ送信媒体からディスプレイに転送する画面データが、ラスタ画像であるか、圧縮画像であるかを通信を行うことにより決定することを特徴とするディスプレイシステム。
【請求項９】
請求項１に記載のディスプレイシステムにおいて、
画面データ送信媒体からディスプレイに送信する画面データを圧縮伸張して通信を行う
ことを特徴とするディスプレイシステム。
【請求項１０】
請求項１に記載のディスプレイシステムにおいて、
画面データ送信媒体からディスプレイに送信する画面データを暗号化して通信を行うことを特徴とするディスプレイシステム。
【発明の詳細な説明】
【技術分野】
【０００１】
本発明は、ネットワークに繋がり、データの送受信をネットワークを通じて行うことができるディスプレイシステムに関するものである。
【背景技術】
【０００２】
現在ではネットワーク上にさまざまな機器が接続され、相互にデータの交換や情報の共有などが一般的に行われている。これにともないネットワーク上のほかの機器へデータを転送することが容易にできるようになったため、悪意をもったユーザーによって重要なファイルやデータを外部に持ち出されるようなケースも多くなっている。従来は、このような機密性の高い情報の漏洩を防ぐために、厳格な機器認証や個人認証を用いることによって情報にアクセスできる対象を制限したり、データ自体を暗号化することにより解読キーを用いないと情報の閲覧ができないような仕組みなどが利用されている。
【０００３】
一方で、例えば会議の場など限られた時間や場所、さらにその場に参加しているメンバーの信頼度が一律でない場合に情報を共有しようと思うと、ネットワーク上の個人所有のそれぞれのＰＣへデータを転送したり、アクセス権を与えたりするのは前述したように情報の漏洩という観点から非常に危険である。このため情報の共有の手段として、プロジェクタ装置等で映写することで同じ画面を複数の人間で同時に見たり、ドキュメントのハードコピーを配布し終了後に回収するという方法を用いることで、情報が外部へ漏洩することを防いでいる。
【０００４】
例えば、ＶＲＡＭに格納された画像データを順次サイクリックに送信する画像情報生成装置に関する技術が開示されている（特許文献１を参照）。
【０００５】
【特許文献１】特開平０９−１６３３２４号公報
【発明の開示】
【発明が解決しようとする課題】
【０００６】
しかしながら、プロジェクタ装置を用いたプレゼンテーションでは、参加メンバーは説明をしているページや部分しか見ることができないために情報の一覧性が悪い。また、ハードコピーの配布では、参加人数分の印刷やコピー作業に手間がかかったり、印刷品位によって色や解像度の面でオリジナルからの再現性に制約が出てしまうという問題がある。
【０００７】
本発明は、上述した事情を考慮してなされたもので、利便性及び機密性を高めたディスプレイシステムを提供することを目的とする。
【課題を解決するための手段】
【０００８】
本発明は上記のような問題点を解決するためになされたもので、本発明によるディスプレイシステムは、ネットワークに接続された画面データを受信することが可能なディスプレイと、ディスプレイに表示するための画面データを生成することが可能な画面データ送信媒体から成るディスプレイシステムにおいて、ディスプレイにおいてはディスプレイに表示するための表示データを蓄積するためのＶＲＡＭを有し、画面データ送信媒体においてはディスプレイに表示するための画面データを生成し、前記画面データからディスプレイのＶＲＡＭに書き込むデータを画面データ送信媒体において生成し、ディスプレイのＶＲＡＭに書き込むデータをディスプレイにネットワークを通じて転送する手段を有することを特徴とする。
【発明の効果】
【０００９】
本発明によれば先ず、ネットワーク上に接続された表示データ送信装置からディスプレイ装置にデータを送信する場合に、ディスプレイの記憶手段（ＶＲＡＭ）のデータ形式を表示データ送信装置に転送し、表示データ送信装置でディスプレイのＶＲＡＭデータそのものを生成して伝送することで、ディスプレイに応じた画像データを生成することができ、ディスプレイにとっては、再利用性の低い、すなわち表示データ送信装置にとっては比較的機密性の高い情報の再利用を妨げ、「みせるだけ」という運用を行うことが可能となる。
【００１０】
また、本発明によれば、表示データ送信装置で一度ディスプレイのＶＲＡＭデータを生成した後に可逆圧縮方法によりデータ圧縮を行い、伝送し、ディスプレイでデータ伸張を行うことで、データ伝送速度の低いネットワーク上において、伝送するデータを減らすことができ、伝送の遅延を最小限にすることが可能となる。
【００１１】
また、本発明によれば、閲覧を目的とするデータの一部に機密情報が含まれていても、その機密情報は省いてＶＲＡＭのデータとすることにより、機密情報は公開しない情報閲覧が可能となる。
また、本発明によれば、画像の拡大率、オフセットを指定する手段を有することで、拡大縮小表示や、スクロールを実現することができる。
【発明を実施するための最良の形態】
【００１２】
（第１の実施例）
以下、図１〜図８に基づき、本発明によるディスプレイシステムの好適な実施例を説明する。
まず図１は実施例による、ディスプレイシステムの挙動をあらわす図である。
図１において、１０１は表示データ送信装置、１０２はディスプレイ装置部を表わし、それぞれの装置はネットワークにより相互に接続されている。
【００１３】
本実施例ではまず、画像転送要求１０３においてディスプレイ装置１０２から表示データ送信装置１０１へ画像を指定して画像転送要求を行う。画像転送要求１０３を受け付けた表示データ送信装置１０１は画像転送要求に対するＡｃｋ１０４を返す。
また、表示データ送信装置１０１とディスプレイ装置１０２が初めてセッションを張るときには、ディスプレイ装置のＶＲＡＭにどのように画像データを配置するかを規定したＶＲＡＭの属性や表示するための解像度のようなディスプレイの属性をディスプレイ１０２から表示データ送信装置１０１に転送するために、後述するように所定の通信を行う（１０５〜１１０）。
【００１４】
図２は、本実施例の表示データ送信装置１０１の概略構成を示すブロック図である。
図において、２０１はＣＰＵ（中央演算処理装置）であり、後述のＲＯＭ２０２に格納されている制御プログラムコードを実行することで、装置全体の動作を制御するものである。このＣＰＵ２０１には、ＲＯＭ２０２、ＲＡＭ２０３、ストレージ２０４、ネットワークコントローラ２０５がバス２０６により接続されている。
【００１５】
２０２はＲＯＭ（リードオンリメモリ）であり、ＣＰＵ２０１がアプリケーション処理など本装置の制御を行うためのプログラムコード２０２ａやデータが格納されている。
【００１６】
２０３はＲＡＭ（ランダムアクセスメモリ）であり、ＣＰＵ２０１がＲＯＭ２０２のプログラムを実行する際に、データの書き込み、読み出しを行うためのメモリである。このＲＡＭ２０３に含まれる領域として、２０３ａは、ＣＰＵ２０１が後述のストレージにすでに格納されているオリジナルファイルから表示用のデータ形式に変換処理を行う場合に使用するワークエリアであり、２０３ｂは、通信相手のディスプレイ装置１０２のＶＲＡＭの属性やディスプレイの属性を格納するための領域（リモート属性エリア）で、２０３ｃは、ディスプレイ１０２に転送する画像データを格納する領域である（リモートＶＲＡＭエリア）。
【００１７】
２０４はストレージであり、本実施例ではハードディスクを想定している。このストレージにはファイルシステムが構築され、さまざまなデータをファイルとしてこのストレージに格納することができる。ストレージ２０４において、２０４ａは、ドキュメントファイルが格納されているファイル群であり、このドキュメントファイルとは例えばワープロや表計算、プレゼンテーションなどのドキュメント作成アプリケーションによって生成されたオリジナルファイルを指している。２０４ｂは、システムファイル群であり、オペレーティングシステムが使用するシステムファイルが格納されている。また、２０４ｃは、その他のファイル群であり、例えばＣＰＵ２０１が装置の動作を制御するために必要な情報、初期値、テーブルなどのデータを格納しているファイル群などが含まれる。
【００１８】
２０５はネットワークコントローラであり、ネットワークを通じたデータの送受信の制御を行う。
【００１９】
図３は本発明によるディスプレイ装置１０２の概略構成を示すブロック図である。
図３において、３０１はＣＰＵ（中央演算処理装置）であり、後述のＲＯＭ３０２に格納されている制御プログラムコードを実行することで、装置全体の動作を制御するものである。このＣＰＵ３０１には、ＲＯＭ３０２、ＲＡＭ３０３、ネットワークコントローラ３０４、さらに表示コントローラ３０５がバス３０７により接続されている。また、表示コントローラ３０５には表示デバイス３０６が接続されている。
【００２０】
３０２はＲＯＭ（リードオンリメモリ）であり、ＣＰＵ３０１がアプリケーション処理など本装置の制御を行うためのプログラムコードやデータが格納されている。このＲＯＭ３０２に含まれる領域として、３０２ａは、再生、表示プログラムコードであり、表示データ送信装置１０１から送信された表示データを読み込み、表示を行うための制御プログラムコードが格納されている。３０２ｂは、その他の制御を行うための制御プログラムコードが格納されている。
【００２１】
３０３はＲＡＭ（ランダムアクセスメモリ）であり、ＣＰＵ３０１がＲＯＭ３０２のプログラムを実行する際に、データの書き込み、読み出しを行うためのメモリである。このＲＡＭ３０３に含まれる領域として、３０３ａは、ＣＰＵ３０１が処理を事項する際に使用するワークエリアである。また、３０３ｂは、表示イメージが展開されるＶＲＡＭ領域であり、表示コントローラ３０５はこのＶＲＡＭのデータを読み込み表示デバイス３０８に出力する。本実施例においてはＶＲＡＭ領域の表示データはＲＧＢ各８ビットのラスタイメージとして構成されている。３０３ｃは、一時退避エリアである。
【００２２】
ＣＰＵ３０１は、ネットワークコントローラ３０４を通じて表示データ送信装置１０１より画像データをうけとったら、画像データをそのままＶＲＡＭ３０３ｂに書き込む処理を実行する。
【００２３】
３０５は表示コントローラであり、前述したように、ＶＲＡＭ３０３ｂに格納されているラスタイメージの表示データをを６０Ｈｚのサイクルで読み込み、表示デバイス３０６に出力する。
【００２４】
３０６は表示デバイスであり、本実施例ではＸＧＡサイズ（１０２４×７６８ドット）の解像度を持つカラー液晶表示器である。
【００２５】
以上のような機器構成により、ディスプレイ装置１０２の動作の流れ図を図４に、表示データ送信装置１０１の動作の流れ図を図５に示す。
【００２６】
まず、ステップｓ４０１においてディスプレイ装置１０２から表示データ送信装置１０１に対して表示した画像名と共に画像転送要求（１０３）を行う。表示データ送信装置１０１においてはステップｓ５０１において画像転送要求を受信すると、まずはステップｓ５０２においてディスプレイ装置１０２のＶＲＡＭの属性を保持しているかどうかを確認する。もしＶＲＡＭの属性を保持していなければステップｓ５０３においてＶＲＡＭ属性の転送要求（１０５）を行う。ディスプレイ装置においては、ステップｓ４０２においてＶＲＡＭの属性要求を受信したらステップｓ４０３においてＶＲＡＭの属性を表示データ送信装置に対して送信する（１０６）。  本実施例のＶＲＡＭに書き込まれるビットマップデータは図６のように画像の１ドット６０１ごとに、赤（Ｒ）緑（Ｇ）青（Ｂ）の順に配置され、各々８ビットである。
【００２７】
このＶＲＡＭの属性を元に表示データ送信装置１０１に送るデータを、図７のように生成する。図７はＸＭＬ形式のデータで、行７０１に記述した「ＲＧＢ」により、赤、緑、青の順番に色データが並んでいることを記述しており、行７０２に記述した「ｒｅｄ＝”８”  ｇｒｅｅｎ＝”８”  ｂｌｕｅ＝”８”」により、赤、緑、青全てが８ビットであることを記述している。
【００２８】
表示データ送信装置１０１はステップｓ５０４において図７に示したディスプレイ装置１０２のＶＲＡＭ属性情報を受信し、ステップｓ５０５でＶＲＡＭ属性情報の内容を解釈し、保持する。
【００２９】
同様に、ステップｓ５０６においてディスプレイ１０２の属性を保持しているかどうかを判定し、もし保持していなければステップｓ５０７でディスプレイの属性要求（１０８）を行う。
【００３０】
ディスプレイ１０２においてはステップｓ４０４においてディスプレイ属性要求をうけたらステップｓ４０５において図８に示したディスプレイ属性情報を生成して表示データ送信装置に送信する（１０９）。
【００３１】
図８に示したディスプレイ属性情報には、行８０１に示したメーカ名、行８０２に示したディスプレイの型番、行８０３に示したディスプレイのシリアル番号、行８０４に示したディスプレイの所有者、行８０５に示した表示領域のサイズを含む。
【００３２】
表示データ送信装置ではステップｓ５０８において図８のディスプレイ情報を受信し、ステップｓ５０９においてディスプレイ属性を解釈し、保持する。
【００３３】
次に、ステップｓ５１０において、ステップｓ５１０で得た対象画像を必要ならばデコードし、ステップｓ５０８で受信したディスプレイ属性の解像度情報に基づき画像を適切なサイズにリサイズし、ステップｓ５０４で受信したＶＲＡＭ属性をもとにディスプレイのＶＲＡＭデータを生成し、リモートＶＲＡＭエリア２０３ｃに保存する。更にＶＲＡＭデータがそろったらステップｓ５１１においてディスプレイ１０２に送信する。
【００３４】
ディスプレイ１０２ではステップｓ４０６においてＶＲＡＭデータを受信したらそのままステップｓ４０７でＶＲＡＭ３０３ｂにデータを転送し（１１１）、ステップｓ４０８において表示デバイス３０６に表示する。
【００３５】
以上により、ディスプレイの要求に応じてデータの送信側でディスプレイのＶＲＡＭに合わせたラスタデータを生成して送信することができ、これにより再利用性の低い情報伝達を行うことができる。すなわち、例えばワードプロセッサで書かれた文書をそのまま転送すれば、アプリケーションとユーザインターフェースの補助により、文書の編集や他の文書とのテキストのコピーアンドペーストが容易に行え、この場合はワードプロセッサで書かれた文書の再利用性が高いが、一方で本実施例のようにラスタ画像を予め生成して転送してしまえば、同様のＶＲＡＭの形式を持つディスプレイシステムでしか表示を行うことができず、また、ラスタ画像のコピーアンドペーストを行おうとしてもあくまでもビットマップとしてのコピーアンドペーストであるため、再利用性は低いといえる。
【００３６】
したがって、比較的機密性の高い情報をこのようにして転送することで、再利用を妨げ、ディスプレイで「見せるだけ」という状態をつくりだすことが可能である。
【００３７】
また、送信側で受信側に有利なラスタデータに変換して送信するため、送信側の圧縮形式のようなデータの種類に依存せず、ディスプレイで表示することが可能となる。
【００３８】
また、表示を要求された文書の一部に機密情報が含まれていた場合、ステップｓ５０１でＶＲＡＭデータを生成するときに機密情報をみることができない形式にしてＶＲＡＭデータを生成しても良い。
【００３９】
また、VRAMの属性やディスプレイの属性を本実施例ではＸＭＬデータとしたが、バイナリデータとしても良い。
本実施例においては、図８に示したように画面全体に指定の画像を表示する例について示したが、例えば８０５の解像度の指定に、画面の一部の領域の大きさを指定て、画面全体のうちの一部に指定の画像を表示させても良い。例えば、ディスプレイの表示にウィンドウシステムが介在し、複数のウィンドウが表示可能な場合、８０５の解像度の指定としては、表示させたい画像を表示するウィンドウの大きさを指定すると良い。
【００４０】
（第２の実施例）
以下、図４〜５、図９に基づき、本発明によるディスプレイシステムの好適な第二実施例を説明する。
【００４１】
本実施例においては、機器構成や処理の流れは第１の実施例と等しい。
本実施例においては、画像の転送要求を行うときに画像の拡大縮小や拡大時のスクロールに対応させるものである。
【００４２】
まず、ディスプレイがステップｓ４０１において画像転送要求を行うときに図９のように画像のパスだけでなく、拡大率や表示位置を示すオフセット値を示す。図９の例であれば行９０１にパスは「／ｈｏｍｅ／ｕｓｅｒ／ｈｏｇｅ／ｄｏｃ／ｆｏｏ．ｄｏｃ」、行９０２に拡大率「２００％」、行９０３に表示位置を示すオフセット値「ｘ＝”０”ｙ＝”４０”」を示している。
【００４３】
この情報を用いて、ステップｓ５１０においてＶＲＡＭデータ生成時に、拡大率を２００％、すなわち、本実施例であれば元の解像度が１０２４ｘ７６８であるため、２０４８ｘ１５３６ドットの画像を生成し、ここの中の（０、４０）から（０＋１０２４、４０＋７６８）となる範囲を切り出して、ディスプレイに転送すべきＶＲＡＭデータとし、ステップｓ５１１においてディスプレイに転送する。
【００４４】
ディスプレイ１０２においては、拡大、またはスクロール操作を行うたびにステップｓ４０１において画像転送要求を行い、表示データ送信装置でステップｓ５０８によりＶＲＡＭデータを生成し、このデータをステップｓ４０６において受信することで拡大、スクロールした画像を表示する。
【００４５】
以上により、実施例１で説明したように再利用をしづらいＶＲＡＭデータを転送し、拡大縮小、スクロールにも対応することができる。
【００４６】
また、スクロールする場合、再度全ての画面を生成して送るのではなく，差分を送信する構成としても良い。
更に、ＶＲＡＭデータを生成するときの拡大率に制限を設けておき、はっきり、細かなＶＲＡＭデータを生成させないようにしても良い。
【００４７】
（第３の実施例）
以下、図１０〜図１１に基づき、本発明によるディスプレイシステムの好適な第三実施例を説明する。
【００４８】
本実施例においては、機器構成は第１の実施例とほぼ等しい。
本実施例では、転送量が多くなりがちなＶＲＡＭデータの転送量を減らすことを目的とする。
【００４９】
図１０にディスプレイの処理の流れを、図１１に表示データ送信装置の処理の流れを示す。処理の流れは図４、図５に示した第一実施例に似ているため、異なる点についてのみ説明する。
【００５０】
画像の転送を要求された表示データ送信装置は、ステップｓ１１１０においてＶＲＡＭに書き込むデータを生成し、ステップｓ１１１１において可逆圧縮が可能な方式においてＶＲＡＭに書き込むように生成したデータを圧縮する。本実施例においてはｇｚｉｐ圧縮である。そして、ステップｓ１１１２においてステップｓ１１１１で圧縮したＶＲＡＭデータをディスプレイ１０２に送信する。
【００５１】
ディスプレイ１０２ではステップｓ１００６においてこの圧縮されたＶＲＡＭ圧縮データを受信し、ステップｓ１００７においてＶＲＡＭ圧縮データをｇｕｎｚｉｐにより伸張し、このデータをステップｓ１００８においてＶＲＡＭに転送し、ステップｓ１００９において表示を行う。
【００５２】
以上により、転送量が多くなりがちなＶＲＡＭデータを圧縮して転送することにより少なくし、転送にかかる時間的な遅延を少なくし、ネットワークの占有率も下げることができる。
【００５３】
また、本実施例については、ＶＲＡＭデータをそのまま可逆圧縮する方法について説明したが、表示データ送信装置においてディスプレイに表示するサイズに画像を展開し、ディスプレイに表示する部分だけを切り出してＪＰＥＧのような任意の画像圧縮を行ってディスプレイに転送し、ディスプレイで画像伸張を行ってＶＲＡＭに展開する構成としても良い。
【００５４】
（第４の実施例）
以下、図１２に基づき、本発明によるディスプレイシステムの好適な第四実施例を説明する。
本実施例においては、機器構成は第一実施例と等しい。
【００５５】
第一の本実施例においてはディスプレイから表示データ送信装置に画像の転送要求を行う場合について説明したが、本発明においては、表示データ送信装置から能動的にディスプレイに画像を転送する場合について説明する。
【００５６】
図１２に画像の転送を行うために行う通信のプロトコルについて示す。
まず、表示データ送信装置１２０１がユーザーの操作または何らかのイベントにより特定の画像をディスプレイ１２０２に送信する必要が発生した場合、まず表示データ送信装置１２０１からディスプレイ１２０２に対して、画像転送許可要求１２０３を行う。
【００５７】
ディスプレイ１２０２は画像転送許可要求１２０３に対して、画像の表示を許可する場合は画像転送許可応答１２０４として、許可する内容を転送し、画像の表示を許可しない場合は画像転送許可応答１２０４として、許可しない内容を転送する。
画像転送許可応答１２０４が許可する内容であった場合は、以後、第一実施例で説明した手順により表示データ送信装置１２０１でＶＲＡＭデータを生成してディスプレイ１２０２に転送し、表示する。
以上により、表示データ送信装置から能動的にディスプレイに画像を転送することが可能となる。
【００５８】
また、上記のプログラムを記録したコンピュータ読み取り可能な記録媒体等のプログラムプロダクトも本発明の実施形態として適用することができる。上記のプログラム、記録媒体、伝送媒体およびプログラムプロダクトは、本発明の範疇に含まれる。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５９】
【図１】本発明の第一実施例における表示データ送信装置とディスプレイ装置のデータ間での、情報のやりとりを表す図である。
【図２】本発明の実施例における表示データ送信装置の内部構成を表す図である。
【図３】本発明の実施例におけるディスプレイ装置の内部構成を表す図である。
【図４】本発明の第一実施例におけるディスプレイ装置のフローチャートである。
【図５】本発明の第一実施例における表示データ送信装置のフローチャートである。
【図６】本発明の実施例におけるＶＲＡＭに書かれるデータを表す図である。
【図７】本発明の実施例におけるＶＲＡＭの属性を伝達するために送信するデータを表す図である。
【図８】本発明の実施例におけるディスプレイの属性を伝達するために送信するデータを表す図である。
【図９】本発明の第二実施例における画像転送要求を行うときに送信するデータを表す図である。
【図１０】本発明の第三実施例におけるディスプレイ装置のフローチャートである。
【図１１】本発明の第三実施例における表示データ送信装置のフローチャートである。
【図１２】本発明の第四実施例における表示データ送信装置とディスプレイ装置のデータ間での、情報のやりとりを表す図である。
【符号の説明】
【００６０】
１０１    表示データ送信装置
１０２    ディスプレイ装置
２０１    ＣＰＵ
２０２    ＲＯＭ
２０３    ＲＡＭ
２０４    ストレージ
２０５    ネットワークコントローラ
３０１    ＣＰＵ
３０２    ＲＯＭ
３０３    ＲＡＭ
３０４    ネットワークコントローラ
３０５    表示コントローラ
３０６    表示デバイス
６０１    １ピクセル分のデータ
【図１】
2007047599.tif 000003
【図２】
2007047599.tif 000004
【図３】
2007047599.tif 000005
【図４】
2007047599.tif 000006
【図５】
2007047599.tif 000007
【図６】
2007047599.tif 000008
【図７】
2007047599.tif 000009
【図８】
2007047599.tif 000010
【図９】
2007047599.tif 000011
【図１０】
2007047599.tif 000012
【図１１】
2007047599.tif 000013
【図１２】
2007047599.tif 000014